(57)【要約】【課題】オペレータにシート収納部に収納されているシートを使い切る時期を事前に知らせる。【解決手段】シートの上から苗を移植するマルチ移植機において、前記車輪の回転量に基づき走行距離を測定する走行距離測定手段と、シート収納部へシートが収納されている状態で、かつ自動昇降状態又は作業機クラッチが接続状態における走行距離を積算する制御手段を備えて、この積算した総走行距離を表示する走行距離表示部８５ａを備える。【選択図】図７
2018014913.tif 000002
【特許請求の範囲】
【請求項１】
車輪に支持される走行機体と、該走行機体に昇降自在に支持される植付作業機と、該植付作業機に設けられ、圃場面を被覆するロール状のシートを収納し得るシート収納部と、を備え、前記植付作業機は、作業機クラッチを介して動力伝達され、かつ自動昇降状態にて圃場面に合わせて自動で昇降されて、連続的に繰出される前記シートの上から圃場へ苗を移植するマルチ移植機において、
前記車輪の回転量に基づき走行距離を測定する走行距離測定手段と、
前記シート収納部に収納されている前記シートが繰出されている状態で、かつ前記自動昇降状態又は前記作業機クラッチが接続状態における前記走行距離測定手段により測定された走行距離を積算する制御手段と、
前記制御手段によって積算された総走行距離を表示する走行距離表示部と、を備えてなる、
ことを特徴とするマルチ移植機。
【請求項２】
前記シート収納部に収納される前記シートの長さを入力するシート長入力手段と、
前記シート長入力手段により入力された前記シートの長さを表示するシート長表示部と、を備え、
前記走行距離表示部と前記シート長表示部とは、隣接して設けられている、
請求項１に記載のマルチ移植機。
【請求項３】
車輪に支持される走行機体と、該走行機体に昇降自在に支持される植付作業機と、該植付作業機に設けられ、圃場面を被覆するロール状のシートを収納し得るシート収納部と、を備え、前記植付作業機は、作業機クラッチを介して動力伝達され、かつ自動昇降状態にて圃場面に合わせて自動で昇降され、連続的に繰出される前記シートの上から圃場へ苗を移植するマルチ移植機において、
前記シート収納部に収納される前記シートの長さを入力するシート長入力手段と、
前記車輪の回転量に基づき走行距離を測定する走行距離測定手段と、
前記シート収納部に収納されている前記シートが繰出されている状態で、かつ前記自動昇降状態又は前記作業機クラッチが接続状態における前記走行距離測定手段により測定された走行距離を積算し、積算した総走行距離を前記シート長入力手段により入力された前記シートの長さから減算した作業可能距離を算出する制御手段と、
前記作業可能距離を表示する作業可能距離表示部と、を備えてなる、
ことを特徴とするマルチ移植機。
【請求項４】
前記シート長入力手段により入力された前記シートの長さを表示するシート長表示部を備え、
前記作業可能距離表示部と前記シート長表示部とは、隣接して設けられている、
請求項３に記載のマルチ移植機。
【発明の詳細な説明】
【技術分野】
【０００１】
本発明は、植付作業機のシート収納部に収納されたロール状のシートが繰出されて圃場面を被覆し、該シートの上から苗を移植可能なマルチ移植機に関する。
【背景技術】
【０００２】
一般に、植付作業機のシートケースに横架して収納されたロール状のシートが繰出されて圃場面を被覆し、シートケース内のシートロールが無くなった際に使用するための予備ロールを支持し得る支持装置を備えたマルチ移植機が知られている。上記マルチ移植機は、支持装置に支持された予備ロールをシートケースの端部からスライドさせて挿入し、シートロールの補給を行うことができるよう構成されている（特許文献１参照）。
【先行技術文献】
【特許文献】
【０００３】
【特許文献１】特許第３８２２１２４号公報
【発明の概要】
【発明が解決しようとする課題】
【０００４】
しかしながら、上記特許文献１に記載のものは、オペレータに使用中のシートロールの残り長さを知らせる手段は目視等による他無く、また、シートケースが運転座席の後方に配置されているため、オペレータはシートケース内のシートロールを使い切った場合にもそのことに気づかず植付けを継続し、予期せぬシートの使い切りにより圃場面をシートで被覆せずに苗を移植する虞があった。
【０００５】
そこで、本発明は、総走行距離又は作業可能距離をオペレータに知らせることで、オペレータが適切なタイミングでシートの交換を行うことができるマルチ移植機を提供することを目的とするものである。
【課題を解決するための手段】
【０００６】
車輪（２）に支持される走行機体（３）と、該走行機体（３）に昇降自在に支持される植付作業機（６）と、該植付作業機（６）に設けられ、圃場面を被覆するロール状のシートを収納し得るシート収納部（１０）と、を備え、前記植付作業機（６）は、作業機クラッチを介して動力伝達され、かつ自動昇降状態にて圃場面に合わせて自動で昇降されて、連続的に繰出される前記シートの上から圃場へ苗を移植するマルチ移植機（１００）において、
前記車輪（２）の回転量に基づき走行距離を測定する走行距離測定手段（３９）と、
前記シート収納部（１０）に収納されている前記シートが繰出されている状態で、かつ前記自動昇降状態又は前記作業機クラッチが接続状態における前記走行距離測定手段（３９）により測定された走行距離を積算する制御手段（４０）と、
前記制御手段（４０）によって積算された総走行距離（Ｌ）を表示する走行距離表示部（８５ａ）と、を備えてなる、
ことを特徴とする。
【０００７】
例えば図７を参照して、前記シート収納部（１０）に収納される前記シートの長さを入力するシート長入力手段（７６）と、
前記シート長入力手段（７６）により入力された前記シートの長さ（Ｌ１）を表示するシート長表示部（８５ｂ）と、を備え、
前記走行距離表示部（８５ａ）と前記シート長表示部（８５ｂ）とは、隣接して設けられている。
【０００８】
また、本発明は、車輪（２）に支持される走行機体（３）と、該走行機体（３）に昇降自在に支持される植付作業機（６）と、該植付作業機（６）に設けられ、圃場面を被覆するロール状のシートを収納し得るシート収納部（１０）と、を備え、前記植付作業機（６）は、作業機クラッチを介して動力伝達され、かつ自動昇降状態にて圃場面に合わせて自動で昇降され、連続的に繰出される前記シートの上から圃場へ苗を移植するマルチ移植機（１００）において、
前記シート収納部（１０）に収納される前記シートの長さを入力するシート長入力手段（７６）と、
前記車輪（２）の回転量に基づき走行距離を測定する走行距離測定手段（３９）と、
前記シート収納部（１０）に収納されている前記シートが繰出されている状態で、かつ前記自動昇降状態又は前記作業機クラッチが接続状態における前記走行距離測定手段（３９）により測定された走行距離を積算し、積算した総走行距離（Ｌ）を前記シート長入力手段（７６）により入力された前記シート（Ｌ１）の長さから減算した作業可能距離を算出する制御手段（４０）と、
前記作業可能距離を表示する作業可能距離表示部（１８５ａ）と、を備えてなる、
ことを特徴とする。
【０００９】
例えば図７を参照して、前記シート長入力手段（７６）により入力された前記シートの長さ（Ｌ１）を表示するシート長表示部（８５ｂ）を備え、
前記作業可能距離表示部（１８５ａ）と前記シート長表示部（８５ｂ）とは、隣接して設けられている。
【００１０】
なお、上述カッコ内の符号は、図面と対照するためのものであるが、何ら本発明の構成を限定するものではない。
【発明の効果】
【００１１】
請求項１に係る本発明によると、シートの使用長さに相当する移植作業中の総走行距離を表示する走行距離表示部を備えたので、オペレータはシートの交換時期を事前に予測可能となり、予期せぬシートの使い切りにより圃場面をシートで被覆せずに苗を移植することを防ぐことができ、作業効率を向上できる。
【００１２】
請求項２に係る本発明によると、使用前のシートの長さを表示するシート長表示部を設けたので、オペレータは使用前のシートの長さと、移植作業中の総走行距離と、を対比して把握することができる。これにより、オペレータはシートの交換時期を事前に予測可能となり、予期せぬシートの使い切りにより圃場面をシートで被覆せずに苗を移植することを防ぐことができ、作業効率を向上できる。
【００１３】
請求項３に係る本発明によると、移植作業中の総走行距離と使用前のシートの長さとに基づいて算出されたシートの残り長さに相当する作業可能距離を表示する作業可能距離表示部を備えたので、オペレータは移植作業中に、シート収納部に収納されているシートの残り長さを知ることができる。これにより、オペレータはシートの交換時期を事前に予測可能となり、予期せぬシートの使い切りにより圃場面をシートで被覆せずに苗を移植することを防ぐことができ、作業効率を向上できる。
【００１４】
請求項４に係る本発明によると使用前のシートの長さを表示するシート長表示部を設けたので、オペレータは使用前のシートの長さと、作業可能距離と、を対比して把握することができる。これにより、オペレータはシートの交換時期を事前に予測可能となり、予期せぬシートの使い切りにより圃場面をシートで被覆せずに苗を移植することを防ぐことができ、作業効率を向上できる。
【図面の簡単な説明】
【００１５】
【図１】本実施の形態に係るマルチ移植機を示す側面図。
【図２】植付作業機を昇降させる油圧コントロール機構を示す側面図。
【図３】走行距離測定機構を示す断面図。
【図４】紙切れ検知機構を示す側面図。
【図５】シート収納部を示す動作図で、（ａ）は紙ホルダの開放状態の側面図、（ｂ）は紙ホルダの閉鎖状態の側面図。
【図６】マルチ移植機の斜視図。
【図７】操作部分を示す図で、（ａ）は運転部の前方をオペレータから見た状態の斜視図、（ｂ）は入力パネルの拡大図、（ｃ）は表示パネルの拡大図。
【図８】制御部のブロック図。
【図９】紙切れ警報制御のフロー図。
【図１０】（ａ）は比較例に係るマルチ移植機の植付経路を示す平面図、（ｂ）は本実施の形態に係るマルチ移植機の植付経路を示す平面図。
【発明を実施するための形態】
【００１６】
以下、図面に沿って、本発明の実施の形態について説明する。図１に示すように、本実施の形態に係る乗用型のマルチ移植機１００は、前輪１と後輪（車輪）２とによって支持される走行機体３を有し、走行機体３の後部には、昇降リンク機構５を介して植付作業機６が昇降自在に支持される。昇降リンク機構５は、走行機体３と植付作業機６との間に介設されたリフトシリンダ７を有し、後述する油圧コントロール機構２５（図２参照）によるリフトシリンダ７の伸縮動作に応じて植付作業機６が昇降される。
【００１７】
植付作業機６は、昇降リンク機構５によって支持される作業機フレーム８、マット苗が載置される苗載台９、芯に巻きつけられるロール状のシートを横架収納するシート収納部１０、苗を圃場に植付ける植付機構１１、圃場面を滑走する円筒状のローラフロート１２並びに紙押さえロール１３及びカッタレバー１５の操作により繰出されたシートＳ（図５及び図１０参照）とロール状のシートとを適宜分断するカッタ１６等を備えて構成されている。
【００１８】
植付機構１１は、走行機体３の走行に伴い連続的に繰出されて圃場面を被覆するシートＳの上からマット苗より掻取った苗を圃場に植付ける。ローラフロート１２は、左右に延びる円筒状に形成されて前後に並列して設けられ、紙押さえロール１３は、左右に延びる円筒状に形成されてローラフロート１２より後方に配置される。ローラフロート１２及び紙押さえロール１３は、繰出されたシートＳを圃場面に押圧しながら圃場面を滑走し、紙押さえロール１３は、ローラフロート１２より小さな接地面積となるように構成されている。
【００１９】
上記走行機体３の中央部には、オペレータが搭乗して走行機体３や植付作業機６を操作する運転部１７が配置されている。該運転部１７には運転座席１９、ステアリングハンドル２０、作業機操作具２１（図７参照）、表示パネル２２（図７参照）、入力パネル２３（図７参照）等が配置されている。なお、本実施の形態では、特に記載が無い限りは運転座席１９に着座したオペレータが向いている正面方向を前方とし、これを基準に前後左右方向を定義する。
【００２０】
走行機体３の前部にはエンジン（図示せず）やトランスミッション（図示せず）が搭載されている。エンジンが出力する動力は、トランスミッションで変速され、前輪１及び後輪２に伝達されると共に、油圧コントロール機構２５（図２参照）を介して植付作業機６に伝達される。トランスミッションの内部には、植付クラッチ（作業機クラッチ、図示せず）が設けられており、該植付クラッチの断接に伴い植付作業機６への動力伝達が断接される。
【００２１】
ついで、油圧コントロール機構２５について、図２に沿って説明する。油圧コントロール機構２５は、作業機操作具２１（図７参照）の操作により駆動する作業機操作カムモータ３０と、作業機操作カムモータ３０の駆動に基づいて回動する作業機操作カム３１と、回動ピン３３を中心に揺動し、作業機操作カム３１の回動に伴い姿勢が変化するクラッチアーム３５と、クラッチアーム３５の姿勢変化に伴い開閉する油圧コントロールバルブ２９と、作業機操作カム３１の回動位置を検出する作業機操作カムポテンショ３２と、を備える。
【００２２】
作業機操作カム３１は、上昇位置、固定位置、下降位置及び植付位置の各回動位置を有し、それぞれの回動位置は作業機操作カムポテンショ３２により検出される。作業機操作カム３１の各回動位置に従いクラッチアーム３５が揺動して油圧コントロールバルブ２９が開閉されると、トランスミッションに設けられた油圧ポンプ（図示せず）の油圧を開放又は遮断することによりリフトシリンダ７が伸縮して、植付作業機６が昇降する。また、植付作業機６の昇降高さは、昇降リンク機構５の角度に基づいてリフト角ポテンショ２７（図８参照）により検出される。作業機操作カム３１が上昇位置に位置する際には、植付作業機６が上昇し、固定位置に位置する際には、植付作業機６は任意の高さで固定され、下降位置に位置する際には、植付作業機６が下降する。作業機操作カム３１が上昇位置に位置する際に、植付作業機６が所定高さ（上端位置）まで上昇したことをリフト角ポテンショ２７により検出されると、作業機操作カム３１が固定位置となり、植付作業機６の上昇は停止する。また、作業機操作カム３１が下降位置に位置する際には、ローラフロート１２が接地する高さまで植付作業機６が下降し、作業機操作カム３１は植付位置へ移行可能となる。
【００２３】
作業機操作カム３１が下降位置及び植付位置に位置する状態かつローラフロート１２が接地している状態においては、植付作業機６は、圃場面への追従に伴うローラフロート１２の姿勢及び高さの変化に基づいて油圧コントロールバルブ２９が開閉されて植付作業機６が自動的に昇降され、植付深さが一定に保たれる自動昇降状態となる。作業機操作カム３１が植付位置以外に位置する際には植付クラッチは切断されて植付機構１１は作動せず、植付位置に位置する際には植付クラッチが接続されて植付機構１１が作動する。
【００２４】
図３に示すように、エンジンで発生した動力は、前後に延びる入力軸３６を介して、後輪２を支持するリヤアクスルケース３７に伝達される。リヤアクスルケース３７の内部には、入力軸３６と一体的に回転する検出ギヤ４１と、入力軸３６の回転を制動する走行ブレーキ４３と、が設けられている。入力軸３６には、検出ギヤ４１が固定されており、検出ギヤ４１の回転量は、回転センサ４２によって検出される。すなわち、検出ギヤ４１と同量だけ回転する入力軸３６の回転量は、検出ギヤ４１及び回転センサ４２によって構成される走行距離測定機構（走行距離測定手段）３９によって検出され、この検出結果は制御部（制御手段、図８参照）４０へ出力される。
【００２５】
図４に示すように、シート収納部１０は、左右端が開閉可能でロール状のシートを横架収納する紙ロールケース４５と、作業機フレーム８に固定される検知機構支持片５０と、シート収納部１０からシートが繰出されているか否かを検出する紙切れ検知機構（検知手段）４６と、を備える。紙切れ検知機構４６は、板状に形成され、紙ロールケース４５から繰出されたシートＳ（図５参照）に接触して揺動するシート検出片４７と、シート検出片４７の揺動を検出する紙切れ検出スイッチ４９と、を備える。紙切れ検知機構４６は、調整ボルト５５によって検知機構支持片４４に固定されており、調整ボルト５５を締緩することにより、検知機構支持片５０に設けられた長穴（図示せず）に沿って紙ロールケース４５に対する紙切れ検知機構４６の前後位置を変更できる。
【００２６】
シート検出片４７は、紙ロールケース４５に収納されたロール状のシートの中心軸より後方に配置された揺動軸５１を中心として揺動可能に支持され、シート検出片４７の下端がシートに接近する方向である前方へ向けて検出ばね５２により付勢されている。紙ロールケース４５に収納されているシートが紙ロールケース４５から繰出されてシート検出片４７と接触すると、シート検出片４７の下端が検出ばね５２の付勢力に抗して後方へ傾動する。紙切れ検出スイッチ４９は、板状に形成されてシート検出片４７に接触するスイッチレバー５３を有しており、シート検出片４７の傾動に伴ってスイッチレバー５３の姿勢が変化すると、紙切れ検出スイッチ４９のオンとオフとが切り替わる。そして、紙切れ検出スイッチ４９は、シート収納部１０からシートが繰出されている状態でオフとなり、シートが繰出されていない状態でオンとなる。
【００２７】
紙ロールケース４５に収納されたロール状のシートの中心軸とシート検出片４７の下端との相対位置が適切でないときには、紙ロールケース４５からシートが繰出されているにもかかわらず紙切れ検出スイッチ４９がオンとなる場合や、シート検出片４７が抵抗となってシートが適切に繰出されない場合等がある。この場合には、調整ボルト５５の締緩によりシート検出片４７の下端と調整ガイド５６の隙間（Ａ寸法）が適切な寸法となるように紙切れ検知機構４６の位置を調整することにより、上記問題を解決することができる。
【００２８】
また、図５に示すように、シート収納部１０は、紙ロールケース４５の近傍から後方へ延出し、植付作業機６が上昇したときに紙ロールケース４５から繰出されたシートＳを支える紙ホルダ５７と、揺動可能に支持されて紙ホルダ５７を開閉操作する紙ホルダ操作レバー５９と、回転させることにより紙ロールケース４５に収納されているシートが回転して、シートを手動でシート収納部１０の外部へ繰出すことが可能な紙繰出ノブ６１と、を備える。
【００２９】
紙ホルダ５７は、移植作業を行うための閉鎖状態（図５（ｂ））と、紙ロールケース４５に収納されているシートを手動で繰出すことが可能な開放状態（図５（ａ））と、を有する。閉鎖状態において、紙ホルダ操作レバー５９の先端を左側面視で時計回りに操作すると、紙ホルダ５７の後端が下降して開放状態（図５（ａ））となる。紙ホルダ操作レバー５９の先端を左側面視で反時計回りに操作すると、紙ホルダ５７の後端が再び上昇して移植作業を行うための閉鎖状態（図５（ｂ））となる。
【００３０】
図６に示すように、走行機体３の左右両側には、紙ロールケース４５に収納されているシートを使い切った際に使用するためのロール状の予備のシートＰを支持可能な補助ロール台６２が配置されている。補助ロール台６２はロール状の予備のシートＰの中心軸が略前後方向となるように予備のシートＰを支持し、補助ロール台６２に支持された予備のシートＰの後端付近に設けられた上下方向の軸を中心に回動可能に構成されている。植付作業機６が上端位置にある場合において、補助ロール台６２を回動すると、補助ロール台６２に支持されたロール状の予備のシートＰの端部が紙ロールケース４５の端部と近接させることが可能に設けられている。
【００３１】
図７に示すように、運転部１７の前方には、表示パネル２２が配置されており、その左後側に入力パネル２３が配置され、表示パネル２２の右後側には、植付作業機６を昇降するための作業機上操作スイッチ６６及び作業機下操作スイッチ６７を操作する作業機操作具２１が配置されている。
【００３２】
表示パネル２２は、燃料の残量を表示する燃料表示ランプ６９、シートの補給時期を報知する警報ランプ７０、警報ランプ状態表示灯７１、警報ブザー状態表示灯７２及び表示装置８５を有し、該表示装置８５には、互いに隣接して走行距離表示部８５ａ及びシート長表示部８５ｂが配置されている。警報ランプ７０は、走行機体３に設けられた警報ブザー７３と共に、制御部４０（図８参照）から出力される信号を受けて作動し、警報ランプ７０の点灯や警報ブザー７３が発する音により、オペレータにシートの補給時期を報知するよう構成されている。
【００３３】
入力パネル２３は、シート収納部１０に収納される使用前のシートの長さＬ１を入力するロール長設定ダイヤル（シート長入力手段）７６と、モード切替プッシュスイッチ７７と、制御部４０が積算した総走行距離Ｌをリセットし得るリセットスイッチ７８と、植付作業機６の駆動を規制し得る作業準備スイッチ７９と、制御部４０が警報ランプ７０及び警報ブザー７３に発する信号の出力を停止する警報停止スイッチ８０と、を有する。モード切替プッシュスイッチ７７は、制御部４０が積算した総走行距離Ｌを走行距離表示部８５ａに表示し、ロール長設定ダイヤル７６により入力されたシートの長さＬ１をシート長表示部８５ｂに表示する使用量表示モードと、上記何れも表示しない使用量非表示モードと、を切り替える。
【００３４】
図８は、本実施の形態における制御ブロック図を示しており、走行機体３は、各入出力に基づいて紙切れ警報制御（図９参照）を含む移植作業に使用する各装置の制御を行う制御部４０を備えている。該制御部４０は、ＣＰＵ４０ａ、ＲＯＭ４０ｂ、ＲＡＭ４０ｃ、インターフェース（Ｉ／Ｆ）４０ｄ等を含むマイクロコンピュータを備えている。制御部４０の入力側には、作業準備スイッチ７９、作業機上操作スイッチ６６並びに作業機下操作スイッチ６７、ロール長設定ダイヤル７６、リセットスイッチ７８、警報停止スイッチ８０、作業機操作カムポテンショ３２、リフト角ポテンショ２７、紙切れ検出スイッチ４９、モード切替プッシュスイッチ７７及び回転センサ４２等が接続されている。制御部４０の出力側には、作業機操作カムモータ３０、警報ランプ７０、警報ブザー７３、警報ランプ状態表示灯７１、警報ブザー状態表示灯７２及び表示装置８５等が接続されている。
【００３５】
ロール長設定ダイヤル７６は、入力パネル２３に向かって前後方向に進退可能で、入力パネル２３から突出して設けられている。ロール長設定ダイヤル７６は、押圧により入力パネル２３の方向へ後退し、ロール長設定ダイヤル７６が後退すると、入力パネル２３の内部に設けられたモード切替プッシュスイッチ７７が操作される。ロール長設定ダイヤル７６の押圧力を解除すると、モード切替プッシュスイッチ７７の内部に設けられた弾性体（図示せず）の反力により復帰する。
【００３６】
ついで、紙切れ警報制御について、図９に沿って説明する。紙切れ警報制御が開始されると（ステップＳ１）、制御部４０は、作業準備スイッチ７９がオンであるか否かを判断して（ステップＳ１１）、作業準備スイッチ７９がオンの場合（ステップＳ１１のＹＥＳ）には、警報停止スイッチ８０の操作があるか否かを判断する（ステップＳ１３）。警報停止スイッチ８０の操作がない場合（ステップＳ１３のＮＯ）、制御部４０は、紙切れ検出スイッチ４９によりシート収納部１０からシートが繰出されているか否かを判断する（ステップＳ１４）。
【００３７】
制御部４０は、シート収納部１０からシートが繰出されており紙切れ検出スイッチ４９がオフの場合（ステップＳ１４のＮＯ）、使用量表示モードであるか否かを判断する（ステップＳ１５）。使用量表示モードである場合（ステップＳ１５のＹＥＳ）、ロール長設定ダイヤル７６の回転操作の有無を判断する（ステップＳ１６）。オペレータが、ロール長設定ダイヤル７６を回転させて、市販されているシートの規定長さの１００（ｍ）、１２５（ｍ）及び１７０（ｍ）の３つの長さから１つの長さを選択すると（ステップＳ１６のＹＥＳ）、制御部４０は、選択された長さを新たなシートの長さＬ１として制御部４０に記憶し（ステップＳ１７）、処理をＳ１に戻す。
【００３８】
ロール長設定ダイヤル７６の回転操作がない場合（ステップＳ１６のＮＯ）、制御部４０は、リセットスイッチ７８の操作の有無を判断する（ステップＳ３１）。リセットスイッチ７８の操作が無い場合（ステップＳ３１のＮＯ）、制御部４０は、積算した総走行距離Ｌを走行距離表示部８５ａに表示し、ロール長設定ダイヤル７６により入力されて、制御部４０に記憶されたシートの長さＬ１をシート長表示部８５ｂに表示して（ステップＳ３２）、植付作業機６の自動昇降状態であるか否かを判断する（ステップＳ２０）。
【００３９】
制御部４０は、自動昇降状態である場合（ステップＳ２０のＹＥＳ）、走行距離の測定を開始して、測定結果を総走行距離Ｌに加算すると共に、加算した結果を走行距離表示部８５ａに表示し（ステップＳ２２）、処理をステップＳ１に戻す。制御部４０は、植付作業機６の自動昇降状態でない場合（ステップＳ２０のＮＯ）は、作業機操作カム３１が植付位置（植付クラッチが接続状態）であるか否かを判断して（ステップＳ２１）、作業機操作カム３１が植付位置でない場合（ステップＳ２１のＮＯ）は処理をステップＳ１に戻し、作業機操作カム３１が植付位置である場合（ステップＳ２１のＹＥＳ）は、ステップＳ２０で自動昇降状態である場合と同様に、走行距離の測定を開始して、測定結果を総走行距離Ｌに加算し（ステップＳ２２）、処理をステップＳ１に戻す。
【００４０】
ステップＳ３１にて、リセットスイッチ７８の操作がある場合（ステップＳ３１のＹＥＳ）、制御部４０は、制御部４０に積算して記憶された総走行距離Ｌを初期値である０（ｍ）に書き換えて（ステップＳ３３）、処理をステップＳ１に戻す。ステップＳ１５にて、使用量非表示モードである場合（ステップＳ１５のＮＯ）、制御部４０は、走行距離表示部８５ａとシート長表示部８５ｂとに、それぞれ総走行距離Ｌとシートの長さＬ１とが表示されているときにはそれぞれの表示を非表示に切り替え、それぞれ総走行距離Ｌとシートの長さＬ１とが表示されていないときにはそれぞれの非表示状態を維持し（ステップＳ３４）、制御部４０に積算して記憶された総走行距離Ｌを０（ｍ）に書き換えて（ステップＳ３３）、処理をステップＳ１に戻す。
【００４１】
ステップＳ１４にて、シート収納部１０からシートが繰出されておらず紙切れ検出スイッチ４９がオンである場合（ステップＳ１４のＹＥＳ）、制御部４０は、警報ランプ７０及び警報ブザー７３へ紙切れ警報の信号の出力を開始して、制御部４０に積算して記憶された総走行距離Ｌを０（ｍ）に書き換える（ステップＳ２５）。制御部４０から紙切れ警報の信号が出力されると、警報ランプ７０及び警報ブザー７３が作動する。これにより、総走行距離Ｌの新たな積算が開始可能な状態となり、制御部４０は処理をステップＳ１に戻す。
【００４２】
ステップＳ１３にて警報停止スイッチ８０の操作がある場合（ステップＳ１３のＹＥＳ）又はステップＳ１１にて作業準備スイッチ７９がオフの場合（ステップＳ１１のＮＯ）、制御部４０は、警報ランプ７０及び警報ブザー７３への紙切れ警報の信号の出力を停止すると共に、走行距離表示部８５ａとシート長表示部８５ｂとに、それぞれ総走行距離Ｌとシートの長さＬ１とが表示されているときにはそれぞれの表示を非表示に切り替え（ステップＳ３４）、それぞれ総走行距離Ｌとシートの長さＬ１とが表示されていないときにはそれぞれの非表示状態を維持し（ステップＳ３４）、制御部４０に積算して記憶された総走行距離Ｌを０（ｍ）に書き換えて（ステップＳ３３）、処理をステップＳ１に戻す。
【００４３】
総走行距離Ｌの積算が一度も行われていない状態においては、総走行距離Ｌは制御部４０に０（ｍ）として記憶されており、ロール長設定ダイヤル７６の操作が一度も行われていない状態においては、シートの長さＬ１は１００（ｍ）に設定されている。なお、ロール長設定ダイヤル７６の設定操作が一度も行われていない状態において予備警報モードに設定された場合、制御部４０は、表示装置８５にシートの長さＬ１の初期設定を促すメッセージを表示させ、シートの長さＬ１の初期設定がなされるまでは紙切れ警報の信号の出力を禁止する制御を行ってもよい。
【００４４】
以上より、本実施の形態は、入力軸３６の回転量に基づいて算出した植付作業機６がシートを敷ける状態における総走行距離Ｌを算出し、シートの使用長さに相当する総走行距離Ｌと、シート収納部１０に収納される使用前のシートの長さＬ１と、を隣接して表示装置８５に表示可能としたので、オペレータは総走行距離Ｌと使用前のシートの長さＬ１とを容易に比較して把握することができる。これにより、オペレータはシート収納部１０に収納されているシートを使い切る時期を事前に知ることができるので、シート収納部１０に収納されているシートの残り長さが適当な長さα（図１０参照）となったときに、徐々にマルチ移植機１００の走行速度を低下させてマルチ移植機１００をすぐに停止させることができる状態にすれば、予期せぬシートの使い切りにより圃場面をシートで被覆せずに苗を移植することを防ぐことができ、シートを使い切った状態での走行分を後退して未被覆部β（図１０参照）の移植作業をやり直す手間を省くことができる。なお、植付作業機６の自動昇降状態であるときの総走行距離Ｌを走行距離表示部８５ａに表示する場合は、移植作業を行わずにシートの被覆作業を行う際においてもシートを使い切る時期を事前に知ることができる。
【００４５】
制御部４０は、シート収納部１０からシートが繰出されていることを検知しなくなった際に、積算して記憶した総走行距離Ｌを０（ｍ）に書き換えるので、オペレータがシートの補給後における総走行距離Ｌの初期化操作を行う手間を省くと共に、オペレータが初期化操作を行い忘れてシートの残り長さが分からなくなるということを防止することができる。また、上記総走行距離Ｌを０（ｍ）に書き換える契機として紙切れ検出スイッチ４９のオン信号を使用したので、別途の検出手段や入力手段等を必要とせず、部品点数の削減によりコストダウンできる。オペレータがロール長設定ダイヤル７６とモード切替プッシュスイッチ７７を一つの入力装置で操作可能に構成したので、操作の際にオペレータが入力装置を探す手間を省き、部品点数の削減によりコストダウンできる。
【００４６】
シート収納部１０に収納されるシートの長さＬ１の入力に際し、予め定められた３つの長さの中からオペレータが１つの長さを選択可能としたので、規格等により定められた未使用のシートの複数の長さを予め記憶させておくことで、シートの長さＬ１を直接的に数値入力する場合と比べて、ロール長設定ダイヤル７６によるシートの長さＬ１を入力するオペレータの手間を省くと共に、数値の入力ミスを減らすことができる。なお、シートの長さＬ１の入力手段は、上記３つの長さの中から選択する構成に限らず、２つの長さから選択する構成でも３つより多い長さの中から選択する構成でも構わないことは言うまでもないが、無段階的に長さを入力する構成としても良い。例えば、オペレータがロール長設定ダイヤル７６を入力パネル２３に向かって時計回りに回転させると、回転した角度に基づいて入力されるシートの長さＬ１の値が無段階的に拡大し、反時計回りに回すと、回転した角度に基づいて入力されるシートの長さＬ１の値が無段階的に減少するような構成が考えられる。この場合は入力されたシートの長さＬ１の値をドットマトリクスや７セグメント表示機等によりデジタル的に表示する装置を表示パネル２２に設けると、入力されたシートの長さＬ１の視認性を向上できる。
【００４７】
なお、本実施の形態においては、後輪２の回転に伴って回転する入力軸３６の回転量を検出することにより、後輪２の回転量を間接的に検出したが、走行距離の算出にあたっては当然ながら前輪１又は後輪２の回転量を直接的に検出しても良いし、前輪１又は後輪２の回転に伴って回転する入力軸３６以外の部材の回転量を検出してもよい。また、表示装置８５には、走行距離表示部８５ａを設ける代わりに、シート収納部１０に収納される使用前のシートの長さＬ１から総走行距離Ｌを減算した長さ（作業可能距離、Ｌ−Ｌ１）を表示する作業可能距離表示部１８５ａ（図７参照）を設けても良い。この場合、オペレータは、シートの残り長さを把握するためにシート長表示部８５ｂの表示内容と走行距離表示部８５ａの表示内容とを比較する必要が無く、オペレータの負担を軽減できる。また、走行距離表示部８５ａと作業可能距離表示部１８５ａとを別パネルによって共に設けてもよく、１つのパネルに総走行距離Ｌと作業可能距離（Ｌ−Ｌ１）とを並べて表示させてもよい。
【００４８】
また、紙切れ警報の信号が出力されたことによるオペレータへの報知は、運転座席１９やステアリングハンドル２０等を振動させることによって行っても良い。この場合は、移植作業中に周囲の騒音が大きい場合でも、オペレータが警報に気づきやすくすることができる。また、制御部４０はディスクリート回路により形成されていてもよいし、半導体集積回路素子として一体に形成されていてもよい。
【符号の説明】
【００４９】
２    車輪（後輪）
３    走行機体
６    植付作業機
１０  シート収納部
３９  走行距離測定手段（走行距離測定機構）
４０  制御手段
７６  シート長入力手段（ロール長設定ダイヤル）
８５ａ  走行距離表示部
８５ｂ  シート長表示部
１００  マルチ移植機
１８５ａ  作業可能距離表示部
Ｌ    総走行距離
Ｌ１  シートの長さ
【図１】
2018014913.tif 000003
【図２】
2018014913.tif 000004
【図３】
2018014913.tif 000005
【図４】
2018014913.tif 000006
【図５】
2018014913.tif 000007
【図６】
2018014913.tif 000008
【図７】
2018014913.tif 000009
【図８】
2018014913.tif 000010
【図９】
2018014913.tif 000011
【図１０】
2018014913.tif 000012